(57)【要約】【課題】補強板の組み付け作業性を向上した電子機器を提供する。【解決手段】電子機器は、部品を実装したプリント回路板と、プリント回路板の周縁部に設けられる外部接続用の第１のコネクタと、補強板と、第１の固定部材と、第２の固定部材と、を具備する。補強板は、プリント回路板上の部品に対応する領域に取り付けられる第１の部分と、第１の部分から延びて第１のコネクタを補強するようにプリント回路板に取り付けられる第２の部分と、を有する。第１の固定部材は、第１の部分のうち、第２の部分に対向する箇所とは反対側に位置する端部で第１の部分をプリント回路板に固定する。第２の固定部材は、第２の部分をプリント回路板に固定する。【選択図】図２
2010177513.tif 000002
【特許請求の範囲】
【請求項１】
部品を実装したプリント回路板と、
前記プリント回路板の周縁部に設けられる外部接続用の第１のコネクタと、
前記プリント回路板上の前記部品に対応する領域に取り付けられる第１の部分と、前記第１のコネクタを補強するように前記プリント回路板に取り付けられる第２の部分と、を有する補強板と、
前記第１の部分のうち、前記第２の部分に対向する箇所とは反対側に位置する端部で前記第１の部分を前記プリント回路板に固定する第１の固定部材と、
前記第２の部分を前記プリント回路板に固定する第２の固定部材と、
を具備することを特徴とする電子機器。
【請求項２】
前記第１の部分は、前記プリント回路板に沿った方向に延びており、
前記第２の部分は、前記第１の部分と交差する方向に延びたことを特徴とする請求項１に記載の電子機器。
【請求項３】
前記補強板は、前記第１の部分と前記第２の部分との間の位置に介在される連結部を有し、この連結部は、前記プリント回路板から分離した位置に配置されたことを特徴とする請求項２に記載の電子機器。
【請求項４】
前記連結部は、前記プリント回路板に沿った面を有したことを特徴とする請求項３に記載の電子機器。
【請求項５】
前記部品は、内部に半導体チップを埋め込んだ回路部品であり、
前記第１の部分は、その央部に貫通孔を有したことを特徴とする請求項３に記載の電子機器。
【請求項６】
前記第１の部分は、その外周部から立ち上がった第１の折り曲げ部を有したことを特徴とする請求項５に記載の電子機器。
【請求項７】
前記第２の部分は、第２の折り曲げ部を有し、前記第２の折り曲げ部は、前記第２の部分の長手方向と直交する幅方向の両端部から前記第１の部分と平行な方向に延びたことを特徴とする請求項６に記載の電子機器。
【請求項８】
前記連結部は、前記第２の折り曲げ部と一体をなしたことを特徴とする請求項７に記載の電子機器。
【請求項９】
部品を実装したプリント回路板と、
前記プリント回路板の周縁部に設けられる外部接続用の第１のコネクタと、
前記プリント回路板上の前記部品に対応する領域に取り付けられる第１の部分と、前記第１のコネクタを補強するように前記プリント回路板に取り付けられる第２の部分と、を有する補強板と、
前記第１の部分および前記部品を前記プリント回路板に固定する第１の固定部材と、
前記第２の部分を前記プリント回路板に固定する第２の固定部材と、
を具備することを特徴とする電子機器。
【請求項１０】
前記部品は、前記第１のコネクタとは分離した位置に設けられる第２のコネクタであり、この第２のコネクタの差し込み方向は、前記プリント回路板と直交する方向であることを特徴とする請求項９に記載の電子機器。
【請求項１１】
前記第１の部分は、前記プリント回路板に沿った方向に延びており、
前記第２の部分は、前記第１の部分と交差する方向に延びたことを特徴とする請求項１０に記載の電子機器。
【請求項１２】
前記補強板は、前記第１の部分と前記第２の部分との間の位置に介在される連結部を有し、この連結部は、前記プリント回路板から分離した位置に配置されたことを特徴とする請求項１１に記載の電子機器。
【発明の詳細な説明】
【技術分野】
【０００１】
本発明は、外部接続用のコネクタを保護するための補強板を備えた電子機器に関する。
【背景技術】
【０００２】
プリント配線板上にスイッチを実装した実装構造が開示されている。この実装構造は、プリント配線板と、プリント配線板の周縁部に実装されたスイッチおよびそのハウジングと、ハウジングに固着されたスイッチ正面板と、を備えている。
【０００３】
スイッチ正面板は、プリント配線板の裏面に延伸する板部材を有している。（例えば、特許文献１参照）。
【先行技術文献】
【特許文献】
【０００４】
【特許文献１】実開平２−５４１２３号公報
【発明の概要】
【発明が解決しようとする課題】
【０００５】
ところで、プリント配線板の撓みを防止するために、例えばＣＰＵ等の回路部品に対応する箇所に補強板を設けることがある。このような場合に、従来では、上記スイッチ正面板と、補強板とを別々にプリント配線板に固定していた。このため、これらを固定する際の作業が煩雑になっていた。
【０００６】
本発明の目的は、補強板の組み付け作業性を向上した電子機器を提供することにある。
【課題を解決するための手段】
【０００７】
前記目的を達成するため、本発明の一つの形態に係る電子機器は、部品を実装したプリント回路板と、前記プリント回路板の周縁部に設けられる外部接続用の第１のコネクタと、前記プリント回路板上の前記部品に対応する領域に取り付けられる第１の部分と、前記第１のコネクタを補強するように前記プリント回路板に取り付けられる第２の部分と、を有する補強板と、前記第１の部分のうち、前記第２の部分に対向する箇所とは反対側に位置する端部で前記第１の部分を前記プリント回路板に固定する第１の固定部材と、前記第２の部分を前記プリント回路板に固定する第２の固定部材と、を具備する。
【発明の効果】
【０００８】
上記の構成によれば、補強板の組み付け作業性を向上した電子機器を提供できる。
【図面の簡単な説明】
【０００９】
【図１】第１の実施形態に係るポータブルコンピュータを示す斜視図。
【図２】図１に示すポータブルコンピュータの本体ユニットを、第２のケースを取り外した状態で上方から示した上面図。
【図３】図１に示すポータブルコンピュータのＦ３―Ｆ３線に沿って切断して内部を示した斜視図。
【図４】図２に示す本体ユニットに収容される補強板を示した斜視図。
【図５】図３に示す本体ユニットを拡大して示す斜視図。
【図６】第１の実施形態に係る補強板の変形例を示しており、本体ユニットの第１のケースを取り外した状態で下方から示した下面図。
【図７】第２の実施形態に係るポータブルコンピュータの本体ユニットに収容される補強板を示す斜視図。
【図８】第３の実施形態に係るポータブルコンピュータの本体ユニットに収容される補強板を示す斜視図。
【図９】第４の実施形態に係るポータブルコンピュータの本体ユニットに収容される補強板を示す斜視図。
【図１０】第４の実施形態に係るポータブルコンピュータの本体ユニットを縦方向に沿って切断して内部を示した斜視図。
【発明を実施するための形態】
【００１０】
以下に、図１から図５を参照して、電子機器の第１の実施形態について説明する。本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１１】
図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を支持しており、表示ユニット１３を本体ユニット１２に対して回動させることができる。表示ユニット１３は、液晶ディスプレイで構成されるディスプレイ１５と、ディスプレイ１５を取り囲むカバー１６と、を有している。
【００１２】
図１から図３に示すように、本体ユニット１２は、合成樹脂製の筐体２１と、筐体２１に取り付けられるキーボード２２およびタッチパッド２３と、を備えている。筐体２１は、下側半部をなした第１のケース２４と、上側半部をなした第２のケース２５とを有している。また、本体ユニット１２は、筐体２１の内部に、プリント回路板２６と、プリント回路板２６の撓みを防止するための補強板２７と、補強板２７をプリント回路板２６に固定するための第１の固定部材および第２の固定部材と、ハードディスクドライブ（ＨＤＤ）２８と、エクスプレスカード用のスロット２９と、を備えている。
【００１３】
プリント回路板２６は、銅製の配線層を複数積層して形成した銅張積層板であるプリント配線板３２と、プリント配線板３２上に実装される複数の部品と、プリント配線板３２の周縁部に実装される複数の外部接続用の第１のコネクタ３３と、を有している。プリント配線板３２は、複数の部品が実装される第１の面３２Ａと、第１の面３２Ａとは反対側の第２の面３２Ｂと、を有している。複数の部品には、ＣＰＵ３４（central processing unit）、ノースブリッジ３５、図示省略したグラフィックスチップなど、内部に半導体チップが埋め込まれたＢＧＡ(Ball Grid Array)形の半導体パッケージが含まれている。
【００１４】
図４に示すように、補強板２７は、例えば、ステンレスによって形成される板金である。補強板２７は、例えば、０．４ｍｍ程度の厚みを有しており、プレス加工によって折り曲げられて形成される。なお、通常用いられるバックプレートの厚み寸法は、例えば、１．６ｍｍ程度であるので、これに比して薄型に形成されている。補強板２７は、ＣＰＵ３４に対応する位置に取り付けられる第１の部分４１と、第１の部分４１から複数の第１のコネクタ３３を補強するように延びる第２の部分４２と、第１の部分４１と第２の部分４２とを連結する連結部４３と、を有して一体に形成されている。
【００１５】
第１の部分４１は、プリント配線板３２に沿った方向で、プリント配線板３２と平行に配置されており、プリント配線板３２の第２の面３２Ｂに密着するように固定されている。第１の部分４１は、方形の平板状に形成されている。第１の部分４１は、第２の部分４２に対向する箇所とは反対側に位置する角部４４（端部）に、第１の固定部材である第１のねじ４５が通される第１の固定孔４６を一対に有している。第１のねじ４５は、角部４４において、第１の部分４１をプリント回路板２６に固定する。
【００１６】
第２の部分４２は、プリント配線板３２および第１の部分４１と交差する方向、すなわち直交する方向に延びている。第２の部分４２は、プリント配線板３２の周縁部よりも外側の位置に配置されている。第２の部分４２は、プリント配線板３２と直交する方向に延びる本体部４７と、本体部４７の両端部からそれぞれ延びたアーム状の固定部４８と、を有している。一対の固定部４８は、第２の固定孔５１をそれぞれ有し、この第２の固定孔５１に対して、第２の固定部材である第２のねじ５２が通される。第２のねじ５２は、このアーム状の固定部４８を介して第２の部分４２をプリント回路板２６に固定する。
【００１７】
第２の部分４２の本体部４７は、複数の第１のコネクタ３３に対応する複数の開口部５３を有している。第２の部分４２は、第１の部分４１と平行な方向に延びた第２の折り曲げ部５４を有している。第２の折り曲げ部５４は、第２の部分４２の長手方向Ｌと直交する幅方向Ｗの両端部から第１の部分４１と平行な方向に延びている。
【００１８】
連結部４３は、第１の部分４１と第２の部分４２の間の位置に介在されている。図５に示すように、連結部４３は、断面略「Ｕ」字状ないし「コ」字状に形成されている。連結部４３は、プリント回路板２６と平行になるように、プリント回路板２６に沿った面を含んでいる。連結部４３は、プリント回路板２６の外周部から分離した位置に配置されている。このため、本実施形態では示していないが、連結部４３の下方の位置には、複数の第１のコネクタ３３のうちの例えば１つを配置させることもできる。また、連結部４３は、プリント回路板２６から分離した位置に配置されるので、比較的自由に変形することができる。このため、連結部４３は、第１の部分４１および第２の部分４２のいずれか一方で発生した撓みを吸収して、他方にそのまま伝達されることを阻止している。連結部４３は、第２の折り曲げ部５４と連続するように第２の折り曲げ部５４と一体に形成されている。
【００１９】
続いて、図５を参照して、本実施形態の補強板２７の作用について説明する。第１のコネクタ３３に対して相手方のコネクタを抜き差しする際には、ユーザが差込方向とは異なる方向にこじるように相手方のコネクタを動かすことがある。このような場合には、相手方のコネクタの移動に伴って第１のコネクタ３３および補強板２７の第２の部分４２も移動する。このとき、第２の部分４２で撓みを生ずることになるが、本実施形態の連結部４３は、比較的自由に変形することができる。このため、第２の部分４２における撓みは、連結部４３において吸収され、このように第２の部分４２で生じた撓みが直接的に第１の部分４１に波及することが防止される。
【００２０】
第１の実施形態によれば、ポータブルコンピュータ１１は、部品を実装したプリント回路板２６と、プリント回路板２６の周縁部に設けられる外部接続用の第１のコネクタ３３と、プリント回路板２６上の部品に対応する領域に取り付けられる第１の部分４１と、第１のコネクタ３３を補強するようにプリント回路板２６に取り付けられる第２の部分４２と、を有する補強板２７と、第１の部分４１のうち、第２の部分４２に対向する箇所とは反対側に位置する端部で第１の部分４１をプリント回路板２６に固定する第１の固定部材と、第２の部分４２をプリント回路板２６に固定する第２の固定部材と、を具備する。
【００２１】
この構成によれば、第１の部分４１のうち、第２の部分４２に対向する箇所は、第２の部分４２によって支持されている。このため、補強板２７の固定には、第１の固定部材および第２の固定部材を用いることで足り、第１の部分４１のうち、第２の部分４２に対向する箇所には固定部材を配置する必要がない。このため、固定部材の総数を低減することができる。これにより、例えば、補強板２７をプリント回路板２６に取り付ける際の工数を削減することができる。また、近年において、電子機器に含まれる部品のリサイクルのし易さや、プリント回路板２６および回路部品の修理のし易さが特に重要となっている。本実施形態の補強板２７によれば、固定部材の数を低減することができ、補強板２７の取り外しにかかる工数を低減して作業性を向上できる点で特に有効である。
【００２２】
この場合、第１の部分４１は、プリント回路板２６に沿った方向に延びており、第２の部分４２は、第１の部分４１と交差する方向に延びている。この構成によれば、第１の部分４１と第２の部分４２との間で曲げ構造を形成することができ、補強板２７全体として剛性を向上することができる。
【００２３】
補強板２７は、第１の部分４１と第２の部分４２との間の位置に介在される連結部４３を有し、この連結部４３は、プリント回路板２６から分離した位置に配置されている。この構成によれば、連結部４３がプリント回路板２６から分離しているため、連結部４３は、比較的自由に変形を許容することができる。よって、連結部４３を緩衝部分として活用することができ、第２の部分４２で補強板２７に撓みを生じた場合であっても、第２の部分４２から直接的に第１の部分４１に撓み（応力）が伝達されてしまうことを防ぐことができる。したがって、例えば、第１のコネクタ３３に対して相手方のコネクタを抜き差しする際に、第２の部分４２で生じた撓みを連結部４３で吸収することができる。このため、第２の部分４２で生じた撓み（負荷）が第１の部分４１を介してプリント回路板２６に伝えられてしまう不具合を防止できる。
【００２４】
このとき、連結部４３は、「Ｕ」字状の断面形状を有している。この構成によれば、連結部４３の複数個所に曲げ構造を持たせることができる。これによって、撓みを吸収する機能を連結部４３に持たせつつ、補強板２７の機械的強度の向上を図ることができる。
【００２５】
第２の部分４２は、第２の折り曲げ部５４を有し、第２の折り曲げ部５４は、第２の部分４２の長手方向Ｌと直交する幅方向Ｗの両端部から第１の部分４１と平行な方向に延びている。この構成によれば、長手方向Ｌに沿って第２の折り曲げ部５４を設けることができ、第２の部分４２においてさらに高い剛性を確保することができる。この連結部４３は、第２の折り曲げ部５４と一体をなしている。この構成によれば、連結部４３を第２の折り曲げ部５４と分離して形成する場合に比して、連結部４３の強度を向上できるとともに、補強板２７の構造を簡略化できる。これによって、第１の部分４１を保持する力も大きくなり、プリント回路板２６に対して第１の部分４１が浮き上がるようなこともなく、プリント回路板２６の撓みを有効に防止できる。
【００２６】
なお、第１の実施形態では、補強板２７の第１の部分４１が１つの部品、例えばＣＰＵ３４に対応するように形成されているが、補強板２７の形状は、これに限定されるものではない。補強板２７の第１の部分４１は、図６に示すように、２つ以上の部品、例えば、ＣＰＵ３４、グラフィックスチップ３６に対応するように形成されていても良い。
【００２７】
続いて、図７を参照して、ポータブルコンピュータの第２の実施形態について説明する。第２の実施形態の電子機器の一例であるポータブルコンピュータ１１は、補強板６１の形状が異なる点で第１の実施形態のものと異なっているが、他の部分は第１の実施形態と共通している。このため、主として異なる部分について説明し、共通する部分については共通の符号を付して説明を省略する。
【００２８】
第２の実施形態のポータブルコンピュータ１１は、図１に示すものと同様の外観を有する。補強板６１は、ＣＰＵ３４に対応する位置に固定される第１の部分４１と、第１の部分４１から複数の第１のコネクタ３３を補強するように延びる第２の部分４２と、第１の部分４１と第２の部分４２とを連結する連結部４３と、を有して一体に形成されている。
【００２９】
第１の部分４１は、方形の平板状に形成され、プリント配線板３２の第２の面３２Ｂに密着するように固定されている。第１の部分４１は、その央部に方形の貫通孔６２を有している。この貫通孔６２の内側の位置で、プリント回路板２６の第１の面３２Ａには、ＣＰＵ３４に対応した付属部品である図示しないコンデンサなどが配置されている。なお、本実施形態では、貫通孔６２の内側の位置にコンデンサ等を配置するようにしているが、この配置に限定されるものではない。第１の部分４１をプリント回路板２６の第１の面３２Ａに対して密着させ、貫通孔６２の内側にＣＰＵ３４自体を配置させてもよい。
【００３０】
第１の部分４１は、第２の部分４２に対向する箇所とは反対側に位置する角部４４（端部）に、第１の固定孔４６を一対に有している。この第１の固定孔４６には、第１の固定部材である第１のねじ４５が通されて固定される。
【００３１】
第２の部分４２は、プリント配線板３２および第１の部分４１と直交する方向に延びている。第２の部分４２は、プリント配線板３２と直交する方向に延びる本体部４７と、本体部４７の両端部からそれぞれ延びたアーム状の固定部４８と、を有している。第２の部分４２は、第１の部分４１と平行な方向に折れ曲がった第２の折り曲げ部５４を有している。第２の折り曲げ部５４は、第２の部分４２の長手方向Ｌと直交する幅方向Ｗの両端部から第１の部分４１と平行な方向に延びている。
【００３２】
連結部４３は、第１の部分４１と第２の部分４２の間の位置に介在されており、プリント回路板２６の外周部から分離した位置に配置されている。連結部４３は、断面略「Ｕ」字状ないし「コ」字状に形成されている。連結部４３は、第２の折り曲げ部５４と一体に連続して形成されている。
【００３３】
第２の実施形態によれば、部品は、内部に半導体チップを埋め込んだ回路部品であり、第１の部分４１は、その央部に貫通孔６２を有している。これらによれば、貫通孔６２の内側にこの回路部品に対応する付属部品である例えばコンデンサなどを配置したり、貫通孔６２の内側に回路部品自体を配置したりすることができる。なお、コンデンサ等は、回路部品が実装される面とは反対側の裏面に実装されることが一般的である。
【００３４】
続いて、図８を参照して、ポータブルコンピュータの第３の実施形態について説明する。第３の実施形態の電子機器の一例であるポータブルコンピュータ１１は、補強板７１の形状が異なる点で第１の実施形態のものと異なっているが、他の部分は第１の実施形態と共通している。このため、主として異なる部分について説明し、共通する部分については共通の符号を付して説明を省略する。
【００３５】
第３の実施形態のポータブルコンピュータ１１は、図１に示すものと同様の外観を有する。補強板７１は、部品であるＣＰＵ３４に対応する位置に固定される第１の部分４１と、第１の部分４１から複数の第１のコネクタ３３を補強するように延びる第２の部分４２と、第１の部分４１と第２の部分４２とを連結する連結部４３と、を有して一体に形成されている。
【００３６】
第１の部分４１は、方形の平板状に形成され、プリント配線板３２の第２の面３２Ｂに密着するように固定されている。第１の部分４１は、本体７２と、本体７２の央部に設けられた方形の貫通孔６２と、本体７２の外周部から立ち上がった第１の折り曲げ部７３と、を有している。第１の折り曲げ部７３は、第１の部分４１の本体７２と直交する方向に延びている。この貫通孔６２の内側の位置には、図示しないが、ＣＰＵ３４に対応する付属部品であるコンデンサ等が配置されている。第１の部分４１は、第２の部分４２に対向する箇所とは反対側に位置する角部４４（端部）に、第１の固定孔４６を一対に有している。第１の固定孔４６には、第１の固定部材である第１のねじ４５が通される。
【００３７】
第２の部分４２は、プリント配線板３２および第１の部分４１と直交する方向に延びている。第２の部分４２は、プリント配線板３２と直交する方向に延びる本体部４７と、本体部４７の両端部からそれぞれ延びたアーム状の固定部４８と、を有している。第２の部分４２は、第１の部分４１と平行な方向に折れ曲がった第２の折り曲げ部５４を有している。第２の折り曲げ部５４は、第２の部分４２の長手方向Ｌと直交する幅方向Ｗの両端部から第１の部分４１と平行な方向に延びている。
【００３８】
連結部４３は、第１の部分４１と第２の部分４２の間の位置に介在されており、プリント回路板２６の外周部から分離した位置に配置されている。連結部４３は、第２の折り曲げ部５４と一体に連続して形成されている。
【００３９】
第３の実施形態によれば、第１の部分４１は、その外周部から立ち上がった第１の折り曲げ部７３を有している。この構成によれば、第１の部分４１に貫通孔６２を設けた場合でも、第１の部分４１の機械的な強度を維持することができる。また、この第１の折り曲げ部７３は、プレス加工によって他の折り曲げ箇所と一括して形成できるため、第１の折り曲げ部７３を形成したとしても、補強板７１を作成する際の工数が増加することもない。
【００４０】
続いて、図９、１０を参照して、ポータブルコンピュータの第４の実施形態について説明する。第４の実施形態の電子機器の一例であるポータブルコンピュータ１１は、補強板８１の形状が異なる点、補強板８１で補強される部品の種類が異なる点で第１の実施形態のものと異なっているが、他の部分は第１の実施形態と共通している。このため、主として異なる部分について説明し、共通する部分については共通の符号を付して説明を省略する。
【００４１】
第４の実施形態のポータブルコンピュータ１１は、図１に示すものと同様の外観を有する。本体ユニット１２は、筐体２１の内部に、プリント回路板２６と、プリント回路板２６の撓みを防止するための補強板８１と、補強板８１をプリント回路板２６に固定するための第１の固定部材および第２の固定部材と、ハードディスクドライブ２８と、エクスプレスカード用のスロット２９と、を備えている。
【００４２】
図１０に示すように、プリント回路板２６は、プリント配線板３２と、プリント配線板３２上に実装される部品と、プリント配線板３２の外周部に実装される複数の外部接続用の第１のコネクタ３３と、を有している。プリント配線板３２は、部品が実装される第１の面３２Ａと、第１の面３２Ａとは反対側の第２の面３２Ｂと、を有している。部品は、第１のコネクタ３３とは別途に設けられた第２のコネクタ８２で構成される。第２のコネクタ８２は、例えばドッキングコネクタであり、この第２のコネクタ８２は、ポータブルコンピュータ１１が接続される図示しないドッキングステーションに設けられた相手方のコネクタに差し込むことができる。この第２のコネクタ８２の差し込み方向は、プリント回路板２６と直交する方向になっている。
【００４３】
図９に示すように、補強板８１は、第２のコネクタ８２に対応する位置に固定される第１の部分４１と、第１の部分４１から複数の第１のコネクタを補強するように延びる第２の部分４２と、第１の部分４１と第２の部分４２とを連結する連結部４３と、を有して一体に形成されている。
【００４４】
第１の部分４１は、長方形の平板状に形成され、プリント配線板３２の第２の面３２Ｂに密着するように固定されている。第１の部分４１は、その長手方向Ｌの両端部に、第１の固定部材である第１のねじ４５が通される第１の固定孔４６を一対に有している。第１のねじ４５は、第１の部分４１および第２のコネクタ８２をプリント回路板２６に固定する。
【００４５】
第２の部分４２は、プリント配線板３２および第１の部分４１と交差する方向、すなわち直交する方向に延びている。第２の部分４２は、プリント配線板３２と直交する方向に延びる本体部４７と、本体部４７の両端部からそれぞれ延びたアーム状の固定部４８と、を有している。第２の部分４２は、第１の部分４１と平行な方向に折れ曲がった第２の折り曲げ部５４を有している。
【００４６】
連結部４３は、第１の部分４１と第２の部分４２の間の位置に介在されており、プリント回路板２６の外周部から分離した位置に配置されている。連結部４３は、第２の折り曲げ部５４と一体に連続して形成されている。
【００４７】
第４の実施形態によれば、ポータブルコンピュータ１１は、部品を実装したプリント回路板２６と、プリント回路板２６の周縁部に設けられる外部接続用の第１のコネクタ３３と、プリント回路板２６上の部品に対応する領域に取り付けられる第１の部分４１と、第１のコネクタ３３を補強するようにプリント回路板２６に取り付けられる第２の部分４２と、を有する補強板８１と、第１の部分４１および部品をプリント回路板２６に固定する第１の固定部材と、第２の部分４２をプリント回路板２６に固定する第２の固定部材と、を具備する。
【００４８】
この構成によれば、第１の固定部材によって、プリント回路板２６に対する部品の固定と、プリント回路板２６に対する補強板８１の固定とを一括して行うことができる。また、部品は、第１のコネクタ３３とは分離した位置に設けられる第２のコネクタ８２であり、この第２のコネクタ８２の差し込み方向は、プリント回路板２６と直交する方向である。プリント回路板２６上に実装される第２のコネクタ８２を相手方のコネクタに抜き差しする際には、プリント回路板２６に対して大きな応力が作用することが予想される。上記構成によれば、プリント回路板２６に大きな応力が加わった場合にも、補強板８１の剛性によってプリント回路板２６が撓んでしまうことを防止できる。これによって、プリント回路板２６の内部に作りこまれた回路が破断してしまうことを有効に防止できる。
【００４９】
電子機器は、上記実施形態に示したポータブルコンピュータ１１用に限らず、例えば携帯電話機のようなその他の電子機器に対しても実施可能である。また、上記各実施形態では、プリント回路板２６上で、部品に対応する位置に第１の部分４１を配置するようにしているが、これに限定されるものではない。第１の部分４１は、プリント回路板２６の一部又は全部を覆って、プリント回路板２６を補強するように配置させることもできる。また、第２の部分４２から第１の部分４１が突出するように、第１の部分４１をロッド状に形成して、プリント回路板２６を補強するようにしてもよい。
【００５０】
また、上記第１〜第３の実施形態においては、第１の部分４１は、第２の部分４２に対向する箇所とは反対側に位置する端部（角部４４）に、第１の固定部材である第１のねじ４５が通される第１の固定孔４６を一対に有しているが、第１の部分４１の４箇所の角部に第１の固定孔４６を配置して、これらに第１のねじ４５を通すようにしてもよい。その他、電子機器は、発明の要旨を逸脱しない範囲で種々変形して実施できることは勿論である。
【符号の説明】
【００５１】
１１…ポータブルコンピュータ、２６…プリント回路板、２７…補強板、３３…第１のコネクタ、３４…ＣＰＵ、３５…ノースブリッジ、４１…第１の部分、４２…第２の部分、４３…連結部、４５…第１のねじ、５２…第２のねじ、５４…第２の折り曲げ部、Ｌ…長手方向、Ｗ…幅方向、６１…補強板、６２…貫通孔、７１…補強板、７３…第１の折り曲げ部、８１…補強板、８２…第２のコネクタ
【図１】
2010177513.tif 000003
【図２】
2010177513.tif 000004
【図３】
2010177513.tif 000005
【図４】
2010177513.tif 000006
【図５】
2010177513.tif 000007
【図６】
2010177513.tif 000008
【図７】
2010177513.tif 000009
【図８】
2010177513.tif 000010
【図９】
2010177513.tif 000011
【図１０】
2010177513.tif 000012
【手続補正書】
【提出日】平成22年4月2日(2010.4.2)
【手続補正１】
【補正対象書類名】明細書
【補正対象項目名】０００７
【補正方法】変更
【補正の内容】
【０００７】
前記目的を達成するため、本発明の一つの形態に係る電子機器は、部品を実装したプリント回路板と、前記プリント回路板の周縁部に前記部品とは別に設けられた第１のコネクタと、前記プリント回路板上の前記部品に対応する領域に取り付けられるとともに前記プリント回路板に沿った方向に延びた第１の部分と、前記プリント配線板の前記周縁部よりも外側の位置で前記第１の部分と交差する方向に延びて前記プリント回路板に取り付けられた第２の部分と、前記第１の部分と前記第２の部分とを連結するとともに前記プリント回路板から離れた位置に配置された連結部と、を有した補強板と、前記第１の部分のうち、前記第２の部分に対向する箇所とは反対側に位置する端部で前記第１の部分を前記プリント回路板に固定した第１の固定部材と、前記第２の部分を前記プリント回路板に固定した第２の固定部材と、を具備する。
【手続補正２】
【補正対象書類名】特許請求の範囲
【補正対象項目名】全文
【補正方法】変更
【補正の内容】
【特許請求の範囲】
【請求項１】
部品を実装したプリント回路板と、
前記プリント回路板の周縁部に前記部品とは別に設けられた第１のコネクタと、
前記プリント回路板上の前記部品に対応する領域に取り付けられるとともに前記プリント回路板に沿った方向に延びた第１の部分と、前記プリント配線板の前記周縁部よりも外側の位置で前記第１の部分と交差する方向に延びて前記プリント回路板に取り付けられた第２の部分と、前記第１の部分と前記第２の部分とを連結するとともに前記プリント回路板から離れた位置に設けられた連結部と、を有した補強板と、
前記第１の部分のうち、前記第２の部分に対向する箇所とは反対側に位置する端部で前記第１の部分を前記プリント回路板に固定した第１の固定部材と、
前記第２の部分を前記プリント回路板に固定した第２の固定部材と、
を具備することを特徴とする電子機器。
【請求項２】
前記連結部は、前記プリント回路板に沿った面を有したことを特徴とする請求項１に記載の電子機器。
【請求項３】
前記部品は、内部に半導体チップを埋め込んだ回路部品であり、
前記第１の部分は、その央部に貫通孔を有したことを特徴とする請求項１に記載の電子機器。
【請求項４】
前記第１の部分は、その外周部から立ち上がった第１の折り曲げ部を有したことを特徴とする請求項３に記載の電子機器。
【請求項５】
前記第２の部分は、第２の折り曲げ部を有し、前記第２の折り曲げ部は、前記第２の部分の長手方向と直交する幅方向の両端部から前記第１の部分と平行な方向に延びたことを特徴とする請求項４に記載の電子機器。
【請求項６】
前記連結部は、前記第２の折り曲げ部と一体をなしたことを特徴とする請求項５に記載の電子機器。
【請求項７】
部品を実装したプリント回路板と、
前記プリント回路板の周縁部に前記部品とは別に設けられた第１のコネクタと、
前記プリント回路板上の前記部品に対応する領域に取り付けられるとともに前記プリント回路板に沿った方向に延びた第１の部分と、前記プリント配線板の前記周縁部よりも外側の位置で前記第１の部分と交差する方向に延びて前記プリント回路板に取り付けられた第２の部分と、前記第１の部分と前記第２の部分とを連結するとともに前記プリント回路板から離れた位置に配置された連結部と、を有した補強板と、
前記第１の部分および前記部品を前記プリント回路板に固定した第１の固定部材と、
前記第２の部分を前記プリント回路板に固定した第２の固定部材と、
を具備することを特徴とする電子機器。
【請求項８】
前記部品は、前記第１のコネクタとは分離した位置に設けられた第２のコネクタであり、この第２のコネクタの差し込み方向は、前記プリント回路板と直交する方向であることを特徴とする請求項７に記載の電子機器。